(57)【特許請求の範囲】
【請求項１】
車両を一定速度で走行させる定速モードを有する変速制御システムであって、
エンジンからの回転動力を無段変速して出力する無段変速装置と、
前記無段変速装置の変速値を設定する変速制御部と、
前記無段変速装置に対する変速指令を前記変速制御部に与える変速操作具と、
定速モードによる走行を前記変速制御部に実行させる定速走行管理部と、
前記定速モードに関する操作指令として、前記変速操作具に基づく現在変速値を前記定速モード変速値として用いて前記定速モードに移行させる第１操作指令と、前記定速モードからの離脱を指令する離脱指令を、前記変速制御部に与える定速走行操作手段と、
を備え、
前記定速走行操作手段は、現在のクルーズ走行速度に対して予め設定された微小速度値だけ増速させるように前記定速モード変速値の微増速調整を実行する第３操作指令と、現在のクルーズ走行速度に対して前記微小速度値より大きい予め設定された所定速度値だけ増速させるように前記微増速調整より大きな増速をもたらす通常増速調整を実行する第４操作指令と、現在のクルーズ走行速度に対して予め設定された微小速度値だけ減速させるように前記定速モード変速値の微減速調整を実行する第５操作指令と、現在のクルーズ走行速度に対して前記微小速度値より大きい予め設定された所定速度値だけ減速させるように前記微減速調整より大きな減速をもたらす通常減速調整を実行する第６操作指令とを前記変速制御部に与え、
前記第３操作司令は前記定速走行操作手段に対する一方方向への短押し操作により作りだされ、前記第４操作司令は前記定速走行操作手段に対する前記一方方向への長押し操作により作りだされ、前記第５指令は前記定速走行操作手段に対する前記一方方向とは反対の他方方向への短押し操作により作りだされ、前記第６指令は前記定速走行操作手段に対する前記他方方向への長押し操作により作りだされる変速制御システム。
【請求項２】
前記定速走行操作手段は、少なくとも６つの操作状態を評価させることができる単一の定速走行操作器で構成されている請求項１に記載の変速制御システム。
【請求項３】
前記定速走行操作器は４つの操作スイッチ位置を有し、前記各操作スイッチ位置において少なくとも２段階の操作時間が評価される請求項２に記載の変速制御システム。
【請求項４】
前記定速走行操作器は、付勢保持される中立位置を基点とした一方方向で２段階の操作位置及び他方方向で２段階の操作位置が作り出されるシーソー型スイッチである請求項２または３に記載の変速制御システム。
【請求項５】
車両を一定速度で走行させる定速モードを有する変速制御システムであって、
エンジンからの回転動力を無段変速して出力する無段変速装置と、
前記無段変速装置の変速値を設定する変速制御部と、
前記無段変速装置に対する変速指令を前記変速制御部に与える変速操作具と、
前記変速制御部に対して、定速モード時の変速値である定速モード変速値を変更する変更指令、前記定速モードへの移行を指令する移行指令、前記定速モードからの離脱を指令する離脱指令を与える定速走行操作手段と、
前記定速走行操作手段によって設定された定速モード変速値を記憶する記憶部と、
前記定速走行操作手段による前記移行指令に基づいて前記記憶部から読み込んだ定速モード変速値での定速モードを前記変速制御部に実行させる定速走行管理部と、
を備え、
前記定速走行操作手段は、現在のクルーズ走行速度に対して予め設定された微小速度値だけ増速させるように前記定速モード変速値の微増速調整を実行する第３操作指令と、現在のクルーズ走行速度に対して前記微小速度値より大きい予め設定された所定速度値だけ増速させるように前記微増速調整より大きな増速をもたらす通常増速調整を実行する第４操作指令と、現在のクルーズ走行速度に対して予め設定された微小速度値だけ減速させるように前記定速モード変速値の微減速調整を実行する第５操作指令と、現在のクルーズ走行速度に対して前記微小速度値より大きい予め設定された所定速度値だけ減速させるように前記微減速調整より大きな減速をもたらす通常減速調整を実行する第６操作指令とを前記変速制御部に与え、
前記第３操作司令は前記定速走行操作手段に対する一方方向への短押し操作により作りだされ、前記第４操作司令は前記定速走行操作手段に対する前記一方方向への長押し操作により作りだされ、前記第５指令は前記定速走行操作手段に対する前記一方方向とは反対の他方方向への短押し操作により作りだされ、前記第６指令は前記定速走行操作手段に対する前記他方方向への長押し操作により作りだされる変速制御システム。
【請求項６】
前記定速走行操作手段が単一の定速走行操作器で構成され、前記定速走行操作器は、所定変速値単位の変更指令を与える変更操作位置と、前記変速制御部に前記定速モードへの移行を指令する移行操作位置と、前記定速モードからの離脱を指令する離脱操作位置とを有する請求項５に記載の変速制御システム。
【請求項７】
前記定速走行操作器は、付勢保持される中立位置を基点とした一方方向と他方方向の操作変位が可能であり、一方方向での終端操作変位位置が前記移行操作位置であり、他方方向での終端操作変位位置が前記離脱操作位置であり、一方方向及び他方方向での終端操作変位位置までの単位操作変位位置が前記変更操作位置である請求項６に記載の変速制御システム。
【請求項８】
車両キースイッチＯＮ時に前記記憶部がクリアされ、前記記憶部がクリア状態の場合、前記変速制御部は前記定速モード変速値として前記変速操作具による変速指令に基づく変速値を用いる請求項５から７のいずれか一項に記載の変速制御システム。
【請求項９】
前記記憶部が車両キースイッチＯＦＦ時にその内容がクリアされない不揮発性メモリから構成され、前記記憶部に記憶された定速モード変速値は書き換えられるまで維持される請求項５から７のいずれか一項に記載の変速制御システム。
【請求項１０】
エンジン負荷に余裕がある低負荷を判定するエンジン負荷判定部が備えられ、前記定速
モード時において前記低負荷が判定された場合、エンジン回転数を所定量だけ低減させる
とともに、車両速度を維持するために当該回転数低下指令によるエンジン回転数の低下を
補償するように前記変速値を変更する請求項５から９のいずれか一項に記載の変速制御シ
ステム。
【請求項１１】
前記定速走行操作手段による移行指令には、前記変速操作具に基づく現在変速値を前記
定速モード変速値として用いて前記定速モードに移行させる第１操作指令と、前記記憶部
から読み込んだ定速モード変速値を用いて前記定速モードに移行させる第２操作指令とが
含まれている請求項５に記載の変速制御システム。
【請求項１２】
車両を一定速度で走行させる定速モードを有する変速制御システムであって、
エンジンからの回転動力を無段変速して出力する無段変速装置と、
前記無段変速装置の変速値を設定する変速制御部と、
前記無段変速装置に対する変速指令を前記変速制御部に与える変速操作具と、
定速モードによる走行を前記変速制御部に実行させる定速走行管理部と、
前記定速モード時の変速値である定速モード変速値を記憶する記憶部と、
前記定速モードに関する操作指令として、前記変速操作具に基づく現在変速値を前記定速モード変速値として用いて前記定速モードに移行させる第１操作指令と、前記記憶部から読み込んだ定速モード変速値を用いて前記定速モードに移行させる第２操作指令と、前記定速モードからの離脱を指令する離脱指令を、前記変速制御部に与える定速走行操作手段と、
を備え、
前記定速走行操作手段は、現在のクルーズ走行速度に対して予め設定された微小速度値だけ増速させるように前記定速モード変速値の微増速調整を実行する第３操作指令と、現在のクルーズ走行速度に対して前記微小速度値より大きい予め設定された所定速度値だけ増速させるように前記微増速調整より大きな増速をもたらす通常増速調整を実行する第４操作指令と、現在のクルーズ走行速度に対して予め設定された微小速度値だけ減速させるように前記定速モード変速値の微減速調整を実行する第５操作指令と、現在のクルーズ走行速度に対して前記微小速度値より大きい予め設定された所定速度値だけ減速させるように前記微減速調整より大きな減速をもたらす通常減速調整を実行する第６操作指令とを前記変速制御部に与え、
前記第３操作司令は前記定速走行操作手段に対する一方方向への短押し操作により作りだされ、前記第４操作司令は前記定速走行操作手段に対する前記一方方向への長押し操作により作りだされ、前記第５指令は前記定速走行操作手段に対する前記一方方向とは反対の他方方向への短押し操作により作りだされ、前記第６指令は前記定速走行操作手段に対する前記他方方向への長押し操作により作りだされる変速制御システム。
【請求項１３】
前記定速走行操作手段は、少なくとも７つの操作状態を評価させることができる単一の
定速走行操作器で構成されている請求項１２に記載の変速制御システム。
【請求項１４】
前記定速走行操作器は４つの操作スイッチ位置を有し、前記各操作スイッチ位置におい
て少なくとも２段階の操作時間が評価される請求項１３に記載の変速制御システム。
【請求項１５】
前記定速走行操作器は、付勢保持される中立位置を基点とした一方方向で２段階の操作
位置及び他方方向で２段階の操作位置が作り出されるシーソー型スイッチである請求項１
３または１４に記載の変速制御システム。
【請求項１６】
前記記憶部が車両キースイッチＯＦＦ時にその内容がクリアされない不揮発性メモリか
ら構成され、前記記憶部に記憶された定速モード変速値は書き換えられるまで維持される
請求項１２から１５のいずれか一項に記載の変速制御システム。
【発明の詳細な説明】
【技術分野】
【０００１】
本発明は、エンジンからの回転動力を無段変速して出力する無段変速装置を備えた車両を一定速度で走行させる定速モードを有する変速制御システムに関する。
【背景技術】
【０００２】
車両を一定速度で走行させる定速モードはクルーディングモードとも呼ばれるが、トラクタなどの作業車両が一定速度で走行しながら耕耘や整地などの作業を行うときに用いられる。この定速モードを用いることにより、運転者は、車両速度調整の煩わしさから解放される。このような定速モードを有する作業車両が特許文献１に記載されている。この作業車両は、無段変速装置として静油圧式無段変速装置（以下ＨＳＴと略称する）を搭載し、油圧ポンプの斜板角を設定された所定角度に保持することで定速走行を実現している。このため、油圧ポンプの斜板角を操作する変速制御手段に対して変速値としての斜板目標操作位置を設定する操作具として、変速ペダルと摩擦式の位置保持具が備えられている定速レバーが備えられている。定速レバーによって設定される斜板目標操作位置と変速ペダルによって設定される斜板目標操作位置との間でその対応する車両速度が大きい方の斜板目標操作位置が実際のＨＳＴの変速値となる。従って、例えば、定速レバーによって設定される斜板目標操作位置をゼロ速度に設定しておけば、変速ペダルの操作量に応じてＨＳＴが変速され、所望の車両速度を得ることができる。定速レバーを所望の定速走行速度が得られる操作位置に保持しておくと、変速ペダルによる斜板目標操作位置が定速レバーによる斜板目標操作位置より低い位置にあれば（この状態は変速ペダルから足を外してフリーにしておくことで容易に実現する）、その所望の定速走行速度で車両を定速走行させることができる。
しかしながら、摩擦保持される定速レバーを用いた定速モード制御では、摩擦力が邪魔をして、正確な定速車両速度の設定が難しい。特に、低速レバーをゼロ速度まで下げて定速モードを解除した後、再び先と同じ速度での定速モードを設定することは困難である。
【先行技術文献】
【特許文献】
【０００３】
【特許文献１】特開２００８‐３７４００号公報（段落番号〔００２７−００８７〕、図６）
【発明の概要】
【発明が解決しようとする課題】
【０００４】
上記実情に鑑み、本発明の課題は、簡単な操作で所望の定速走行が実現する車両用変速制御システムを簡単な構成で提供することである。
【課題を解決するための手段】
【０００５】
上記課題を解決するため、本発明による、車両を一定速度で走行させる定速モードを有する１つの変速制御システムは、エンジンからの回転動力を無段変速して出力する無段変速装置と、前記無段変速装置の変速値を設定する変速制御部と、前記無段変速装置に対する変速指令を前記変速制御部に与える変速操作具と、定速モードによる走行を前記変速制御部に実行させる定速走行管理部と、前記定速モードに関する操作指令として、前記変速操作具に基づく現在変速値を前記定速モード変速値として用いて前記定速モードに移行させる第１操作指令と、前記定速モードからの離脱を指令する離脱指令を、前記変速制御部に与える定速走行操作手段とを備え、
前記定速走行操作手段は、現在のクルーズ走行速度に対して予め設定された微小速度値だけ増速させるように前記定速モード変速値の微増速調整を実行する第３操作指令と、現在のクルーズ走行速度に対して前記微小速度値より大きい予め設定された所定速度値だけ増速させるように前記微増速調整より大きな増速をもたらす通常増速調整を実行する第４操作指令と、現在のクルーズ走行速度に対して予め設定された微小速度値だけ減速させるように前記定速モード変速値の微減速調整を実行する第５操作指令と、現在のクルーズ走行速度に対して前記微小速度値より大きい予め設定された所定速度値だけ減速させるように前記微減速調整より大きな減速をもたらす通常減速調整を実行する第６操作指令とを前記変速制御部に与え、 
前記第３操作司令は前記定速走行操作手段に対する一方方向への短押し操作により作りだされ、前記第４操作司令は前記定速走行操作手段に対する前記一方方向への長押し操作により作りだされ、前記第５指令は前記定速走行操作手段に対する前記一方方向とは反対の他方方向への短押し操作により作りだされ、前記第６指令は前記定速走行操作手段に対する前記他方方向への長押し操作により作りだされる。
【０００６】
この構成では、定速走行操作手段によって通常走行の車両を定速走行させる定速モード
への移行及び定速モードから通常走行への復帰を指令するとともに、当該定速モードのための車両速度を決定する変速値を調整することができる。従って、定速モードでの走行中においても、運転者の所望の走行速度に調整することが簡単に実現できる。その際、定速走行操作手段を単一の定速走行操作器で構成すれば、変速制御システム構成が簡素化される。さらにこの構成では、定速モード時に任意に定速モード時車速を簡単に調整することができる。
【０００７】
上記課題を解決するため、本発明による、車両を一定速度で走行させる定速モードを有する他の１つの変速制御システムは、エンジンからの回転動力を無段変速して出力する無段変速装置と、前記無段変速装置の変速値を設定する変速制御部と、前記無段変速装置に対する変速指令を前記変速制御部に与える変速操作具と、前記変速制御部に対して、定速モード時の変速値である定速モード変速値を変更する変更指令、前記定速モードへの移行を指令する移行指令、前記定速モードからの離脱を指令する離脱指令を与える定速走行操作手段と、前記定速走行操作手段によって設定された定速モード変速値を記憶する記憶部と、前記定速走行操作手段による前記移行指令に基づいて前記記憶部から読み込んだ定速モード変速値での定速モードを前記変速制御部に実行させる定速走行管理部とを備え、
前記定速走行操作手段は、現在のクルーズ走行速度に対して予め設定された微小速度値だけ増速させるように前記定速モード変速値の微増速調整を実行する第３操作指令と、現在のクルーズ走行速度に対して前記微小速度値より大きい予め設定された所定速度値だけ増速させるように前記微増速調整より大きな増速をもたらす通常増速調整を実行する第４操作指令と、現在のクルーズ走行速度に対して予め設定された微小速度値だけ減速させるように前記定速モード変速値の微減速調整を実行する第５操作指令と、現在のクルーズ走行速度に対して前記微小速度値より大きい予め設定された所定速度値だけ減速させるように前記微減速調整より大きな減速をもたらす通常減速調整を実行する第６操作指令とを前記変速制御部に与え、 
前記第３操作司令は前記定速走行操作手段に対する一方方向への短押し操作により作りだされ、前記第４操作司令は前記定速走行操作手段に対する前記一方方向への長押し操作により作りだされ、前記第５指令は前記定速走行操作手段に対する前記一方方向とは反対の他方方向への短押し操作により作りだされ、前記第６指令は前記定速走行操作手段に対する前記他方方向への長押し操作により作りだされる。
【０００８】
この構成では、定速走行操作手段によって車両を定速走行させる定速モードへの移行を指令するとともに当該定速モードのための車両速度を決定する変速値を調整することができる。さらに、定速モード時に設定された定速モード変速値は記憶部に記憶されるように構成されており、一旦定速モードから離脱して再び定速モードへ移行した時には、記憶部から読み出された定速モード変速値が用いられるので、前回と同じ車両速度で車両を定速走行させることができる。さらにこの構成では、定速モード時に任意に定速モード時車速を簡単に調整することができる。
【０００９】
本発明の好適な実施形態の１つでは、前記定速走行操作手段が単一の定速走行操作器で構成され、前記定速走行操作器は、所定変速値単位の変更指令を与える変更操作位置と、前記変速制御部に前記定速モードへの移行を指令する移行操作位置と、前記定速モードからの離脱を指令する離脱操作位置とを有する。単一の定速走行操作器に対する操作で、定速モードへの移行及び定速モードからの離脱が行われるだけではなく、無段変速装置の変速値の変更、つまり定速走行時の車両速度の調整も可能であるので、操作が簡単となるだけでなく、制御入力信号系の配線も単純となる。
【００１０】
そのような定速走行操作器のより具体的で好適な形態の１つでは、前記定速走行操作器は、付勢保持される中立位置を基点とした一方方向と他方方向の操作変位が可能であり、一方方向での終端操作変位位置が前記移行操作位置であり、他方方向での終端操作変位位置が前記離脱操作位置であり、一方方向及び他方方向での終端操作変位位置までの単位操作変位位置が前記変更操作位置となっている。つまり、基点からの２つの操作方向と各操作方向での２つの操作位置（操作深さ）に、定速モードへの移行、定速モードからの離脱、定速モードにおける車両速度の増減調整を割り当てることができる。例えば、２段階シーソー型のスイッチを採用するなら、一方方向の浅押しで定速走行速度の上昇、一方方向の深押しで定速モードへの移行、他方方向の浅押しで定速走行速度の下降、他方方向の一方方向の深押しで定速モードからの離脱を実現することができる。
【００１１】
本発明では、定速モードおける車両速度を決定する変速値が記憶部に記憶されるが、作業種別や走行地面状態などによって定速走行速度は異なるのが一般的である。従って、１つの作業が完了した時点で記憶部をクリアしておき、新たな作業において所定の走行速度を得たときに定速モードに移行して、その時の変速値を記憶することが好適である。このことを考慮して、本発明の好適な実施形態の１つでは、車両キースイッチＯＮ時に前記記憶部がクリアされ、前記記憶部がクリア状態の場合、変速制御部は前記定速モード変速値として前記変速操作具による変速指令に基づく変速値を用いるように構成されている。
【００１２】
定速走行はエンジン回転数を一定にするとともに、変速値も一定として、車両速度を一定するものであり、ある程度長時間の走行状態となる。定速走行作業にはエンジン負荷が小さい作業や大きい作業が含まれている。また、同じ作業でも作業環境によってはエンジン負荷が変動する。エンジン負荷が小さいとき、つまりエンジンに余裕があるときには、エンジン回転数を低下させ、その分だけ変速値を速度増加側に調整することで、同一車両速度が得られるようにすると燃費がよくなる。このことを考慮して、本発明の好適な実施形態の１つでは、エンジン負荷に余裕がある低負荷を判定するエンジン負荷判定部が備えられ、前記定速モード時において前記低負荷が判定された場合、エンジン回転数を所定量だけ低減させるとともに、車両速度を維持するために当該回転数低下指令によるエンジン回転数の低下を補償するように前記変速値を変更する。これにより、省エネルギ定速走行が実現する。
【００１３】
定速モードへの移行時に実行される速度に自由度を与えるための、好適な実施形態の一例では、前記定速走行操作手段による移行指令には、前記変速操作具に基づく現在変速値を前記定速モード変速値として用いて前記定速モードに移行させる第１操作指令と、前記記憶部から読み込んだ定速モード変速値を用いて前記定速モードに移行させる第２操作指令とが含まれている。
【００１４】
本発明には上述した本発明の特徴を変形させた変速制御システムも含まれる。例えば、そのような本発明による、車両を一定速度で走行させる定速モードを有する変速制御システムの１つでは、エンジンからの回転動力を無段変速して出力する無段変速装置と、前記無段変速装置の変速値を設定する変速制御部と、前記無段変速装置に対する変速指令を前記変速制御部に与える変速操作具と、定速モードによる走行を前記変速制御部に実行させる定速走行管理部と、前記定速モード時の変速値である定速モード変速値を記憶する記憶部と、前記定速モードに関する操作指令として、前記変速操作具に基づく現在変速値を前記定速モード変速値として用いて前記定速モードに移行させる第１操作指令と、前記記憶部から読み込んだ定速モード変速値を用いて前記定速モードに移行させる第２操作指令と、前記定速モードからの離脱を指令する離脱指令を、前記変速制御部に与える定速走行操作手段とが備えられている。この構成でも、簡単な操作で自由度の高い所望の定速走行制御が実現する。
【００１５】
さらに、簡単な操作で自由度の高い定速走行制御を実現するために、前記定速走行操作手段は、前記定速モード変速値の微増速調整を実行する第３操作指令と、前記微増速調整より大きな増速をもたらす通常増速調整を実行する第４操作指令と、前記定速モード変速値の微減速調整を実行する第５操作指令と、前記微減速調整より大きな減速をもたらす通常減速調整を実行する第６操作指令とを前記変速制御部に与えるように構成することができる。その際、前記定速走行操作手段の構成を簡単化するためには、少なくとも７つの操作状態を評価させることができる単一の定速走行操作器で構成するとよい。例えば、前記定速走行操作器は４つの操作スイッチ位置を有し、前記各操作スイッチ位置において少なくとも２段階の操作時間が評価されるような構成が好都合である。より具体的な好適実施形態としての前記定速走行操作器は、付勢保持される中立位置を基点とした一方方向で２段階の操作位置及び他方方向で２段階の操作位置が作り出されるシーソー型スイッチである。
【００１６】
上述したように車両キースイッチＯＮ時またはＯＦＦ時に前記記憶部がクリアされる場合、変速制御部は前記定速モード変速値として前記変速操作具による変速指令に基づく変速値を用いるように構成してもよいが、これに代えて、前記記憶部が車両キースイッチＯＦＦ時にその内容がクリアされない不揮発性メモリから構成され、前記記憶部に記憶された定速モード変速値は書き換えられるまで維持されるような構成を採用してもよい。これにより、作業者が意識して定速モード変速値を書き変えない限り、常に同じ定速モード変速値、つまり同じ車速での作業が可能となる。
【図面の簡単な説明】
【００１７】
【図１】本発明の変速制御システムにおける定速モードへの移行と定速モードからの離脱の制御の流れを図解する模式図である。
【図２】発明の変速制御システムにおける定速モード時の車両速度の増減制御の流れを図解する模式図である。
【図３】本発明の変速制御システムを導入した作業車両の一例としてのトラクタの外観図である。
【図４】図３のトラクタの運転操作部の運転席からみた斜視図である。
【図５】トラクタのパワートレインと変速制御系統の一例を示すブロック図である。
【図６】変速制御系の機能ブロック図である。
【図７】変速ＥＣＵの機能ブロック図である。
【図８】定速モード状態を表示する計器パネルの平面図である。
【図９】変速制御状態の移り変わりを示す状態遷移図である。
【図１０】本発明の変速制御システムの別実施形態の定速モード走行制御の流れをしめす模式図である。
【図１１】本発明の変速制御システムの別実施形態の定速モード走行制御の流れをしめす模式図である。
【図１２】図１０の定速モード走行制御の流れを補足する模式図である。
【図１３】図１１の定速モード走行制御の流れを補足する模式図である。
【図１４】本発明の変速制御システムのさらに別な実施形態の定速モード走行制御の流れをしめす模式図である。
【図１５】図１４の定速モード走行制御の流れを補足する模式図である。
【発明を実施するための形態】
【００１８】
以下、本発明の実施の形態を具体的に説明する前に、本発明の変速制御システムによる定速車両走行を実現する定速モード制御の基本原理を図１と図２とを用いて説明する。図１は定速モードへの移行と定速モードからの離脱の制御の流れを図解する模式図であり、図２は定速モード時の車両速度の増減制御の流れを図解する模式図である。ここでは、無段変速装置としてＨＳＴやＨＭＴなどの油圧式無段変速装置２０が用いられている。変速操作具は変速ペダルとして構成されている。
【００１９】
定速走行操作手段は、所定変速値単位の変更指令を与える変更操作位置と、変速ＥＣＵ６に定速モードへの移行を指令する移行操作位置と、定速モードからの離脱を指令する離脱操作位置とを有する、単一の定速走行操作器であるシーソー形スイッチ９０(以下定速スイッチと称する)で構成されている。この定速スイッチ９０は、バネ等により付勢保持される中立位置を基点とした一方方向（反時計方向）と他方方向（時計方向）の操作変位（揺動変位）が可能である。一方方向への操作変位を行う押し操作面には「ＵＰ」が記されており、他方方向への操作変位を行う押し操作面には「ＤＯＷＮ」が記されている。一方方向での終端操作変位位置が移行操作位置であり、この位置まで深押しすることにより、第１接点がアクティブとなる。第１接点がアクティブとなることにより、ＯＮ信号が変速ＥＣＵ６に与えられる。このＯＮ信号は定速モードへの移行を要求する移行指令として取り扱われる。他方方向での終端操作変位位置が離脱操作位置であり、この位置まで深押しすることにより、第２接点がアクティブとなる。第２接点がアクティブとなることにより、ＯＦＦ信号が変速ＥＣＵ６に与えられる。このＯＦＦ信号は定速モードからの離脱を要求する離脱指令として取り扱われる。
【００２０】
この定速スイッチ９０は、それぞれの操作（押し）方向において、２段階スイッチとして構成されている。つまり、一方方向での終端操作変位位置と中立位置との間に設定されている増速用変更操作位置に第３接点が形成されており、同様に他方方向での終端操作変位位置と中立位置との間に設定されている減速用変更操作位置に第４接点が設定されている。さらに、増速用変更操作位置及び終端操作変位位置において、クリック感が生じるように構成されている。この構成により、図２で示しているように、定速スイッチ９０の「ＵＰ」押し操作面を用いて増速用変更操作位置まで浅押しすることで第３接点がアクティブとなり、増速のための変更指令が変速ＥＣＵ６に与えられる。この変更指令は単位変速位置の増加、例えば時速２ｋｍの増加に対応する変速値調整（斜板角調整）をもたらす。従って、増速用変更操作位置までの浅押しを繰り返すと、斜板角度の利用範囲内で、その繰り返し分の速度増加が実現する。また、定速スイッチ９０の「ＤＯＷＮ」押し操作面を用いて減速用変更操作位置まで浅押しすることで第４接点がアクティブとなり、減速のための変更指令が変速ＥＣＵ６に与えられる。この変更指令は単位変速位置の減少、例えば時速２ｋｍの減速に対応する変速値調整（斜板角調整）をもたらす。従って、減速用変更操作位置までの浅押しを繰り返すと、斜板角度ゼロまでの範囲内で、その繰り返し分の速度低下が実現する。
【００２１】
変速ＥＣＵ６には、各種指令や信号を受け取って、内部の各機能部に転送する入力信号処理部６１が備えられている。変速制御部６２は所望の変速を実現するために、油圧式無段変速装置２０の斜板角を制御する油圧制御ユニットに変速値変更指令を与える。定速走行管理部６３は、移行指令を受けて変速制御部６２に対して定速モードへの移行を要求し、離脱指令を受けて定速モードからの離脱を要求する。変速制御部６２は移行指令を受け取った場合、定速モードにおける定速走行の速度を設定する。その際、記憶部６４に変速値が記憶されている場合には、その変速値を用いて油圧式無段変速装置２０の変速を行う。記憶部６４に変速値が記憶されている場合には、現状の油圧式無段変速装置２０の変速値を定速走行の速度設定のために用い、当該変速値を記憶部６４に記憶する。
【００２２】
図２から理解できるように、定速スイッチ９０から増速の変更指令が変速ＥＣＵ６に送られると、定速走行管理部６３は変速制御部６２に単位変速値分の変速値変更（速度増速）を依頼する。また、定速スイッチ９０から減速の変更指令が変速ＥＣＵ６に送られると、定速走行管理部６３は変速制御部６２に単位変速値分の変速値変更（速度減速）を依頼する。変速制御部６２は変速値変更指令を油圧制御ユニット７に与えると、その新規変速値を記憶部６４に記憶させる。従って、記憶部６４にはその時点で定速走行している際の変速値が記憶されることになる。なお、記憶部６４に記憶される変速値は、車両速度に対応する値であり、必ずしも実際の変速比などを示す値でなくてもよい。油圧式無段変速装置２０を通じて車両速度を決定するために用いられる指標であればよい。また、図１や図２では図示されていないが、車両キースイッチがＯＮされたとき、または車両キースイッチがＯＦＦされたときには、記憶部６４の内容がクリアされる。
【００２３】
定速モードからの離脱は、定速スイッチ９０からの離脱指令以外に、変速ペダルを通じて定速走行の車両速度を増速する操作がなされた時や、ブレーキペダルを通じて定速走行の車両速度を増速する操作がなされた時にも、変速制御部６２に離脱指令が与えられる。つまり、変速ペダルやブレーキペダルの操作は、定速スイッチ９０の操作に優先するようになっている。
【００２４】
エンジン負荷判定部６５は、エンジンＥＣＵ５からのエンジン負荷情報と予め設定された判定条件に基づいてエンジン負荷に余裕がある低負荷を判定する。定速モード時において低負荷が判定された場合、エンジン回転数を所定量だけ低減させるとともに、車両速度を維持するために当該回転数低下指令によるエンジン回転数の低下を補償するような変速値を変速制御部６２に与える。
【００２５】
次に、本発明の実施の形態を具体的に説明する。この実施の形態では、本発明の変速制御システムはトラクタに組み込まれている。このトラクタは、無段変速装置としてＨＭＴ（油圧機械式無段変速装置）２０が用いられており、ここでも変速操作具は変速ペダル３０として構成され、定速走行操作手段は、上述したような定速スイッチ９０として構成されている。図３はトラクタの外観図であり、図４はトラクタの運転部の運転席からみた斜視図であり、図５トラクタのパワートレインと変速制御系統の一例を示すブロック図である。
【００２６】
このトラクタは、駆動輪３によって支持された機体の後部に、ここでは耕耘装置である外部作業機４を装備している。機体の前部に配置されているエンジン１はコモンレール方式で回転制御される形式のディーゼルエンジン１である。エンジン１の出力軸１０からの動力は、ＨＭＴ２０と前後進切換装置２３と複数段（ここでは高低２段）の変速を行う副変速装置２４とを通じて変速出力軸１１に伝達され、最終的に駆動輪（前輪または後輪あるいはその両方）３を回転させる。さらに、このエンジン１の出力軸１０からの分岐動力はＰＴＯ伝動系１２を経てトラクタに装備されている耕耘作業機などの外部作業機４にも伝達される。
【００２７】
ＨＭＴ２０は、エンジン１の出力軸１０からの動力を受ける斜板式可変吐出型油圧ポンプと当該油圧ポンプからの油圧によって回転して動力を出力する油圧モータとからなるＨＳＴ（静油圧式変速装置）２１と、遊星歯車機構２２とか構成されている。遊星歯車機構２２は、エンジン１の出力軸１０からの動力と油圧モータからの動力とを入力として、その変速出力を前後進切換装置２３に供給するように構成されている。ＨＳＴ２１は単独でも油圧式無段変速装置２０として機能可能である。
【００２８】
このＨＳＴ２１では、エンジン１からの動力がポンプ軸に入力されることにより、油圧ポンプから油圧モータに圧油が供給され、油圧モータが油圧ポンプからの油圧によって回転駆動されてモータ軸を回転させる。油圧モータの回転はモータ軸を通じて遊星歯車機構２２に伝達される。ＨＳＴ２１は、油圧ポンプの斜板に連動されているシリンダを変位させることにより、この斜板の角度変更が行なわれ、正回転状態、逆回転状態、及び正回転状態と逆回転状態の間に位置する中立状態に変速され、かつ正回転状態に変速された場合においても逆回転状態に変速された場合においても、油圧ポンプの回転速度を無段階に変更して油圧モータの回転速度（時間当たり回転数）を無段階に変更する。その結果、油圧モータから遊星歯車機構２２に出力する動力の回転速度を無段階に変更する。ＨＳＴ２１は、斜板が中立状態に位置されることで、油圧ポンプによる油圧モータの回転を停止、結果的には油圧モータから遊星歯車機構２２に対する出力を停止する。
【００２９】
遊星歯車機構２２は、サンギヤと、当該サンギヤの周囲に等間隔で分散して配置された３個の遊星ギヤと、各遊星ギヤを回転自在に支持するキャリヤと、３個の遊星ギヤに噛合うリングギヤと、前後進切換装置２３に連結している出力軸１１とを備えている。なお、この実施形態では、キャリヤは外周にエンジン１の出力軸１０に取り付けられた出力ギヤと噛み合うギヤ部を形成しているとともに、サンギヤのボス部に相対回転自在に支持されている。
【００３０】
上述した構成により、このＨＭＴ２０は、ＨＳＴ２１の斜板角度を変更することにより、駆動輪３への動力伝達を、無段階で変速することができる。この斜板制御は、変速ＥＣＵ６からの制御指令に基づいて動作する油圧制御ユニット７の油圧制御によって実現する。運転者がこの変速ペダル３０を踏み込むことによって生じる操作量（ここでは揺動角度）を検出信号として生成するペダルセンサ９６も設けられている。ペダルセンサ９６は、例えばポテンショメータなどにより構成される。変速ペダル３０の近傍には左右輪用のブレーキペダル３１が配置されている。また、運転部には、エンジン回転数を調整するためのアクセルレバー３２と当該アクセルレバー３２の操作位置を検出して操作信号を生成するレバーセンサ９３が備えられている。
【００３１】
「ＵＰ」押し操作面９１と「ＤＯＷＮ」押し操作面９２を有するシーソー形定速スイッチ９０は、この実施形態では図４に示されているように、後輪フェンダの上部を覆う左側サイドパネル上に設けられているが、右側のサイドパネルやステアリングハンドルやハンドル前方のフロントパネルなどに設けてもよい。
【００３２】
この変速制御システムの制御系は、エンジンＥＣＵ（エンジン制御ユニット）５、変速ＥＣＵ（変速制御ユニット）６、油圧制御ユニット７、表示ＥＣＵ８、車両状態検出ＥＣＵ９、外部作業機ＥＣＵ４０などから構成され、それぞれは車載ＬＡＮによってデータ伝送可能に接続されている。
【００３３】
車両状態検出ＥＣＵ９は、トラクタに配備されている種々のセンサからの信号や、運転者によって操作される操作器の状態を示す操作入力信号を入力し、必要に応じて信号変換や評価演算を行い、得られた信号やデータを車載ＬＡＮに送り出す。この車両状態検出Ｅ
ＣＵ９に入力される信号のうち、特に本発明に関係するものとしては、定速スイッチ９０からの操作位置信号、変速ペダル３０の操作量を検出するペダルセンサ９６からの信号、トラクタ車速の演算にも用いることができる変速出力軸１１の回転速度（回転数）を検出する回転センサ（又は車速センサ）９４からの信号、アクセルレバー３２の操作量を検出するアクセルセンサ９３からの信号、車両キースイッチ９５からの信号などが挙げられる。
【００３４】
エンジンＥＣＵ５は、よく知られているように、エンジン１を電子制御するための中核機能部であり、外部操作入力信号及び内部センサ信号等によって推定されるエンジン１の運転状態に応じて、予め設定されているプログラムに基づく制御、例えば定回転数制御や定トルク制御など種々のタイプのエンジン制御を行う。外部作業機ＥＣＵ４０は、外部作業機４を制御するための制御信号を生成する。
【００３５】
図６または図７に示すように、変速ＥＣＵ６は、変速ペダル３０の操作量や定速スイッチ９０の操作状態等に基づいてＨＭＴ２０の変速比を設定する変速値を演算し、油圧制御ユニット７を介してＨＭＴ２０のＨＳＴ斜板角を油圧制御する。これにより、ＨＭＴ２０の変速比が決定され、この変速比に基づく速度でトラクタが走行する。
【００３６】
前述したように変速ＥＣＵ６には、このトラクタを一定速度で走行させる定速モードを有する。この目的のために、変速ＥＣＵ６は、前述したように入力信号処理部６１、変速制御部６２、定速走行管理部６３、記憶部６４、エンジン負荷判定部６５を含んでいる。変速制御部６２は、入力信号処理部６１を通じて入力された変速ペダル３０の操作量に基づいて油圧制御ユニット７に出力する斜板角制御指令を生成する。定速走行に関しては、変速制御部６２は、定速走行管理部６３から与えられる移行指令に基づいて、変速制御を定速モードに設定し、離脱指令に基づいて定速モードを解除して変速制御を通常モードに設定する。さらに、変速制御部６２は、定速走行管理部６３から与えられた、定速モード時に定速走行速度を増減させる変更指令に基づいて変速値を変更し、その変速値に対応する斜板角制御指令を油圧制御ユニット７に出力するとともに、この変更された変速値は記憶部６４に記憶される。車両キースイッチ９５のＯＮ時には記憶部６４がクリアされるので、最初に通常モードから定速モードに移行した時には、その時の通常モードでの変速値がそのまま定速走行時に車両速度として利用され、当該変速値が記憶部６４に記憶される。但し、離脱指令に基づく定速モードからの離脱や、変速ペダル３０やブレーキペダル３１の操作による定速モードの解除の際には、記憶部６４はクリアされないので、再び定速モードに移行した場合には、記憶部６４に記憶されている変速値、つまり前回の定速走行時に車両速度が再現される。
【００３７】
定速走行管理部６３は、定速スイッチ９０からの操作信号が表している操作位置情報、つまり第１接点、第２接点、第３接点、第４接点のアクティブ状態に基づいて、増速変更指令、減速変更指令、移行指令、離脱指令のうちのどれかであることを評価して、変速制御部６２に与える。
【００３８】
エンジン負荷判定部６５は、エンジンＥＣＵ５から送られてくるエンジン負荷情報及び現状の変速値に基づいて、エンジン負荷に余裕があり、変速値にまだ増速方向への斜板角変位に余裕がある場合、省エネ定速走行モードとして車両速度を維持しながら、エンジン回転数の所定量の低下とそれに補償する変速値への変更を実行するための指令を出力する。
一例として、省エネ定速走行モードが実行されると、現状のエンジン回転数を２００ｒｐｍだけ低下させる回転数低下指令を生成して、エンジンＥＣＵ５に送り出す。その際、さらに、この回転数低下指令によるエンジン回転数の低下が車速の低下を伴わないように、その低下分を補償する変速値を求め、その変速値に基づいた変更指令を生成し、変速制
御部６１に与える。アクセルレバー３２の操作位置によって設定された基本エンジン回転数を制御目標としてエンジンＥＣＵ８がエンジン１の回転数を制御しているが、この回転数低下指令は、その基本エンジン回転数を低下させるものであり、エンジン負荷と斜板角に余裕がある限り、複数回数にわたる回転数低下を指令することができる。
【００３９】
表示ＥＣＵ８は、運転操作領域に設けられているメータパネル８０に組み込まれた、図８に示されている液晶ディスプレイ部８１などに各種報知情報を表示するための制御信号を生成する。メータパネル８０には、液晶ディスプレイ部８１の両側に、エンジン回転数を示す表示領域８２や水温値や燃料値を示す表示領域８３が配置されている。液晶ディスプレイ部８１は、表示モードによって種々の情報が表示可能であるが、本発明に関する表示モードとしての定速走行表示モードでの表示状態が図８に示されている。この定速走行表示モードでは、液晶ディスプレイ部８１の上部８１ａに実際の実走行速度や副変速段（高：Ｈ、低：Ｌ）が示されており、下部８１ｂに定速スイッチ９０によって設定される変速値に基づく設定走行速度が数値とグラフィックの形態で表示される。
【００４０】
上述したように構成された変速制御システムにおける変速制御状態の遷移を図９の状態遷移図を用いて説明する。
図９（ａ）・・・この変速状態遷移の出発状態としての通常モード時の変速状態を示している。
図９（ｂ）・・・出発状態で定速スイッチ９０のＵＰ押し操作面９１を浅押しする（第３接点がアクティブとなる押し操作）。この操作により、液晶ディスプレイ部８１の下部８１ｂに設定定速走行速度が表示される。
図９（ｃ）・・・さらにＵＰ押し操作面９１の浅押しを繰り返して設定定速走行速度を増加させる。実走行速度は設定定速走行速度に追従してくる。
図９（ｄ）・・・ＵＰ押し操作面９１の深押しする（第１接点がアクティブとなる押し操作）。この操作により、通常モードから定速モードに移行する。実走行速度は設定定速走行速度の周辺でわずかに変動して、実質的に定速走行状態となる。
図９（ｅ）・・・定速モード時に変速ペダル３０を前進増速方向に操作することで、強制的に走行速度を上げる。このペダル操作によって、自動的に定速モードが解除され、通常状態に戻る。その際、変速ペダル３０の操作量が定速走行速度に満たない場合には、定速モードが維持される。また、変速ペダル３０の操作で走行速度を定速走行速度以上に上げたとしても、変速ペダル３０を戻すことにより、定速モードに戻るようにしてもよい。
図９（ｆ）・・・定速モード時に変速ペダル３０を後進に操作するか、ブレーキペダル３１を踏み込むことで、強制的に走行速度を下げる。これらのペダル操作によって、自動的に定速モードが解除され、通常状態に戻る。
図９（ｇ）・・・定速モード時に、定速スイッチ９０のＤＯＷＮ押し操作面９２を浅押しする（第４接点がアクティブとなる押し操作）。この操作により、設定定速走行速度が低下し、実走行速度も遅れて低下する。このＤＯＷＮ押し操作面９２の浅押しを繰り返すことで、さらに設定定速走行速度が低下し、実走行速度も低下する。
図９（ｈ）・・・定速モード時に、定速スイッチ９０のＤＯＷＮ押し操作面９２を深押しする（第２接点がアクティブとなる押し操作）。この操作により、変速制御は定速モードから離脱して通常状態に戻る。
【００４１】
上述した本発明の変速制御システムをさらに拡張した変速制御システムの定速モード走行制御の流れを図１０、図１１、図１２、図１３の模式図を用いて以下に説明する。
このシステムでは、定速走行操作手段としてのシーソー型定速スイッチ９０が左（ＵＰ）揺動及び右（ＤＯＷＮ）揺動の両揺動方向において第１段目（浅押し）と第２段目（深押し）とで個別スイッチ状態を示す操作信号を出力するだけでなく、このスイッチ状態は、入力信号処理部６１による操作信号の評価により、各スイッチのＯＮ時間の長さによりさらに２つの状態に区別される。つまり、図１０に示すように、ＵＰ側の短時間の深押しで第１操作指令、ＵＰ側の長時間の深押しで第２操作指令、ＵＰ側の短時間の浅押しで第３操作指令、ＵＰ側の長時間の浅押しで第４操作指令、ＤＯＷＮ側の短時間の浅押しで第５操作指令、ＤＯＷＮ側の長時間の浅押しで第６操作指令、ＤＯＷＮ側の長時間または短時間（つまりＯＮ時間に無関係）の深押しで第７操作指令が作りだされる。
【００４２】
各操作指令には、この実施形態においては、以下のような定速制御（クルーズ制御またはクルーズ走行制御とも称する）に関する制御内容が割り当てられている。第１操作指令には、現在操向している車速での定速度走行であるクルーズ制御に移行する（クルーズＯＮ）制御内容が割り当てられる。ここでは、車速そのものではなく、この車速を作り出している変速値が取り扱われる。第２操作指令には、現在記憶部６４に記憶されている変速値（メモリ変速値）による車速でクルーズ制御に移行する制御内容が割り当てられる。つまり、第１操作指令及び第２操作指令は、クルーズ制御を開始させる指令である。第３操作指令には、現在のクルーズ走行速度に対して微小速度値、例えば０．５〜１ｋｍ／ｈ程度だけ増速させる制御内容である。第４操作指令には、現在のクルーズ走行速度に対して所定速度値、例えば２から５ｋｍ／ｈ程度だけ増速させる制御内容である。第５操作指令には、現在のクルーズ走行速度に対して微小速度値、例えば０．５〜１ｋｍ／ｈ程度だけ減速させる制御内容である。第６操作指令には、現在のクルーズ走行速度（定速モード変速値に対応する）に対して所定速度値、例えば２から５ｋｍ／ｈ程度だけ減速させる制御内容である。つまり、第３〜第６操作指令は、クルーズ走行速度を増減させる速度調整指令である。第７操作指令には、実行しているクルーズ走行制御を中止し（クルーズＯＦＦ）、再び変速操作具の一例である変速ペダル３０に基づいて走行速度がリアルタイムで調整される通常走行に移行させる制御内容である。つまり、第７操作指令は、クルーズ走行から通常走行への移行指令である。
【００４３】
上述したような操作指令が入力されると、変速ＥＣＵ６に構築されている、変速制御部６２、定速走行管理部６３、記憶部６４などの動作を通じて、図１２と図１３に示すような、以下のようなプロセスが行われ、制御情報を油圧制御ユニット７に出力する。第１操作指令が入力されると、現在の変速値が記憶部６４に記憶され（メモリイン）、記憶部６４から変速値が読み出され、この読み出された変速値（ここでは現在用いられている変速値である）でのクルーズ走行制御を開始する、第１ＯＮプロセスが実行される。第２操作指令が入力されると、以前に記憶されている記憶部６４から変速値が読み出され、この読み出された変速値でのクルーズ走行制御を開始する、第２ＯＮプロセスが実行される。
【００４４】
第４から第６までの操作指令が入力されると、記憶部６４から変速値が読み出され、各操作指令に割り当てられている速度調整情報に基づいて調整された変速値（調整変速値）を算定され、この算定された調整変速値を新たな変速値として記憶部６４に記憶し、この算定された調整変速値でのクルーズ走行制御を開始する、クルーズ走行での速度調整プロセスが実行される。第７操作指令が入力されると、現状の変速ペダル３０の操作位置に基づく変速値を算定され、この算定された変速値でのクルーズ走行制御を開始する、ＯＦＦプロセスが実行される。
【００４５】
なお、この変形例では、４つの操作位置と、ＯＮ時間評価によって８つのスイッチ状態を作り出し、それぞれに制御内容を割り当てたが、その割り当て方は一例であり、本発明においてその他の割り当て方を採用することができる。また、その他のスイッチ状態の作り出しも自由である。
【００４６】
先の実施形態では、車両キースイッチがＯＮされたとき、または車両キースイッチがＯＦＦされたときには、記憶部６４の内容がクリアされるとしたが、一度記憶された記憶部６４の内容は上書きしない限り、原則としてクリアされないように構成してもよい。
【００４７】
次に、図１０、図１１、図１２、図１３を用いて説明した変速制御システムから変速値記憶機能を省いた変速制御システムを説明する。この簡単化されたシステムにおける定速モード走行制御の流れを図１４と図１５の模式図を用いて以下に説明する。なお、先の変速制御システムと重複する機能の説明は省略する。このシステムにおける定速走行操作手段としてのシーソー型定速スイッチ９０に対する運転者の操作を通じて、図１４に示すように、ＵＰ側の長時間または短時間（つまりＯＮ時間に無関係）の深押しで第１ａ操作指令が作りだされる。第７操作指令、及び図１１に示されている第３操作指令、第４操作指令、第５操作指令、第６操作指令も同様に作り出され、その操作指令に基づくプロセスも同様である。
【００４８】
第１ａ操作指令はクルーズ制御を開始させる指令であり、第１ａ操作指令に割り当てられている制御内容は、現在操向している車速、つまり現状の変速値での定速度走行であるクルーズ制御に移行する（クルーズＯＮ）制御内容が割り当てられる。つまり、この変速制御システムでは、変速値を記憶する記憶部６４が省かれているので、通常走行から定速度走行（クルーズ走行）への移行時は常にその時点での変速値が用いられる。従って、定速度走行に移行する前の走行速度が定速度走行で運転者の希望する定速度走行でない場合は、図１１で示すような第３操作指令、第４操作指令、第５操作指令、第６操作指令を用いて、クルーズ走行での速度調整プロセスを実行する。
【００４９】
上述した実施形態における定速制御（クルーズ制御）の説明では、説明の簡単化のために副変速装置２４の存在を無視していたが、この副変速装置２４の変速状態を考慮することも可能である。例えば、副変速装置２４に、高速段、中速段、低速段の３つが用意されているとすれば、記憶部６４を各副変速段別に変速値を記憶するように構成し、各副変速段別に定速制御（クルーズ制御）を実行することができる。
【００５０】
〔その他の別実施形態〕
（１）上述した実施形態では定速走行操作手段として、シーソー形スイッチを採用していたが、スライドスイッチやロータリスイッチなど、本発明の機能を満足する限りにおいて、種々の形態のスイッチを採用することができる。
（２）前記変速ＥＣＵ６における各機能部は、説明の都合に合わせて区分けされており、それらの機能部の統合や分割は自在である。例えば、変速制御部６２と定速走行管理部６３とを統合してもよい。
（３）上述した実施の形態では、無段変速装置として、ＨＳＴ及びＨＳＴを内蔵したＨＭＴが採用されていたが、これに代えてＣＶＴなどが用いられても、本発明を同様に適用することができる。
（４）上述した実施の形態では、車両としてトラクタに変速制御システムを採用した例を示したが、田植機やコンバインや芝刈機やバックホウなどの他の作業車、乗用車、トラックなどにおいても、本発明を同様に適用することができる。
【産業上の利用可能性】
【００５１】
本発明は、車両を一定速度で走行させる定速走行（クルーズ走行）を行う変速制御システムに利用することができる。
【符号の説明】
【００５２】
１：エンジン
６：変速ＥＣＵ
６１：入力信号処理部
６２：変速制御部
６３：定速走行管理部
６４：記憶部
６５：エンジン負荷判定部
２０：油圧式無段変速装置（無段変速装置）
２１：ＨＳＴ
３０：変速ペダル（変速操作具）
９０：定速スイッチ（定速走行操作器、定速走行操作手段）
９５：車両キースイッチ
【図１】
0005933296.tif 000002
【図２】
0005933296.tif 000003
【図３】
0005933296.tif 000004
【図４】
0005933296.tif 000005
【図５】
0005933296.tif 000006
【図６】
0005933296.tif 000007
【図７】
0005933296.tif 000008
【図８】
0005933296.tif 000009
【図９】
0005933296.tif 000010
【図１０】
0005933296.tif 000011
【図１１】
0005933296.tif 000012
【図１２】
0005933296.tif 000013
【図１３】
0005933296.tif 000014
【図１４】
0005933296.tif 000015
【図１５】
0005933296.tif 000016